(57)【要約】本発明は、通信システム、とくに、無線通信ネットワークにおける他モードの監視のための方法および装置に関する。  通信システムにおける他モードの監視の方法が記載されている。通信システムは、ネットワーク通信アクセスポイントと、アクセスポイントに接続された端末とを含み、端末とアクセスポイントとの間でデータ通信をし、データ通信の一方のモードは、一部分のデータを通信することを含み、アクセスポイントおよび端末の一方から、アクセスポイントおよび端末の他方への、一部分のデータの送信は、応答において送られる肯定応答信号によって肯定応答される。この方法は、端末を使用して肯定応答信号を抑圧することと、肯定応答信号が送られた場合の期間の間に、データ通信の他モードを監視するように、端末を再構成することとを含む。肯定応答信号を抑圧することにより、ネットワーク動作をほとんど妨げることなく、ビジーの無線データ転送システムの再構成可能な動作が可能になる。
2005523604.tif 000002
【特許請求の範囲】
【請求項１】
通信システムにおいて他モードの監視方法であって、通信システムは、ネットワーク通信アクセスポイントと、前記アクセスポイントに接続された端末とを含み、前記端末と前記アクセスポイントとの間でデータ通信をし、前記データ通信の一方のモードは、一部分のデータを通信することを含み、前記アクセスポイントおよび前記端末の一方から、前記アクセスポイントおよび前記端末の他方への一部分のデータの送信が、応答において送られる肯定応答信号によって肯定応答される方法であって、前記端末を使用して、前記肯定応答信号を抑圧することと、前記肯定応答信号が送られた場合の時間期間の間に、前記データ通信の他モードを監視するように、前記端末を再構成することとを含む方法。
【請求項２】
一部分のデータの前記送信は、前記アクセスポイントから前記端末への送信を含み、前記肯定応答信号の前記抑圧により、前記一部分のデータを前記アクセスポイントから前記端末へ再送し、前記他モードの監視が、前記データ再送期間の間において、少なくとも部分的に行われる請求項１記載の方法。
【請求項３】
前記抑圧が、前記端末から前記アクセスポイントへ否定応答信号を送ることを含む請求項２記載の方法。
【請求項４】
一部分のデータの前記送信が、前記端末から前記アクセスポイントへの送信を含み、前記端末を使用する前記抑圧が、前記端末から前記アクセスポイントへの前記一部分のデータの送信を省くことを含む請求項１記載の方法。
【請求項５】
前記他モードの監視が、前記省かれた一部分のデータが送信された場合の期間の間に、少なくとも部分的に行われる請求項４記載の方法。
【請求項６】
前記通信システムが移動無線通信システムを含み、前記データ通信が無線データ通信を含む請求項１ないし５の何れか１項記載の方法。
【請求項７】
前記通信システムが、無線ローカルエリアネットワークを含む請求項６記載の方法。
【請求項８】
再構成可能な無線パケットデータ通信端末を動作する方法であって、
前記端末の第１の動作モードを使用して、データ送信機から少なくとも１つのデータパケットを受信することと、
前記端末を第２の動作モードへ再構成することと、
前記第２の動作モードにおいて前記端末を動作することと、
前記端末を前記第１の動作モードへ再び再構成することと、
前記少なくとも１つのデータパケットに対する肯定応答信号を前記データ送信機へ送信することとを含む方法。
【請求項９】
前記肯定応答信号の送信が、前記データ送信機からの前記少なくとも１つのデータパケットの再送を肯定応答するのに間に合うように、前記動作のタイミングを合わせることをさらに含む請求項８記載の方法。
【請求項１０】
前記少なくとも１つのデータパケットの受信の後で、前記タイミング合わせを行うようにタイマーを設定することをさらに含む請求項９記載の方法。
【請求項１１】
前記動作時間が、実質的に、前記少なくとも１つのデータパケットの受信の正当な肯定応答に見込まれる時間の２倍から、前記第１のモードから前記第２のモードへ、および戻る前記再構成にかかる時間を減算した時間以下に制限される請求項１０記載の方法。
【請求項１２】
前記動作時間が、実質的に、前記少なくとも１つのデータパケットの受信の正当な肯定応答に見込まれる時間の２倍から、前記第１のモードから前記第２のモードへ、および戻る前記端末の前記再構成にかかる時間を減算し、さらに前記少なくとも１つのデータパケットの前記受信にかかる時間を減算した時間に制限される請求項１０記載の方法。
【請求項１３】
再構成可能な無線パケットデータ通信端末を動作する方法であって、
第１のモードで前記端末を動作することと、
前記端末を第２の動作モードへ再構成することと、
前記第２の動作モードにおいて前記端末を動作することと、
前記端末を前記第１の動作モードへ再び再構成することと、
前記第２のモードにおける前記動作が、実質的に、前記端末によるパケットデータ通信の受信の正当な肯定応答のために見込まれる時間の２倍から、前記第１のモードから第２のモードへ、および戻る前記端末の前記再構成にかかる時間を減算した時間以下に制限されることとを含む方法。
【請求項１４】
無線パケットデータ通信ネットワークの再構成可能な端末を使用して、他モードの監視を可能にする時間ウインドウを生成する方法であって、パケットデータ通信において肯定応答信号を端末から送信することを省き、パケットデータ通信の再送を強制し、前記端末を再構成するための前記時間ウインドウを生成し、前記他モードの監視を可能にすることを含む方法。
【請求項１５】
再構成可能な無線パケットデータ通信端末を動作する方法であって、
端末の第１の動作モードを使用して、少なくとも１つの第１のデータパケットを端末からデータ受信機へ送ることと、
前記端末を第２の動作モードへ再構成することと、
第２の動作モードにおいて前記端末を動作することと、
前記端末を前記第１の動作モードへ再び再構成することと、
前記第１の動作モードを使用して、少なくとも１つの第２のデータパケットを端末からデータ受信機へ送ることと、
前記少なくとも１つの第１のパケットおよび前記少なくとも１つの第２のパケットが、前記少なくとも１つの第１のデータパケットの正当な受信の肯定応答のために見込まれる時間を実質的に越えない時間間隔で送られるように、前記動作のタイミングを合わせることとを含む方法。
【請求項１６】
前記少なくとも１つの第１のデータパケットの正当な受信の肯定応答に見込まれる時間から、前記第１のモードから前記第２のモードへ、および戻る前記端末の前記再構成にかかる時間を減算した時間を実質的に越えない期間において、前記端末を前記第２のモードで動作することを含む請求項１５記載の方法。
【請求項１７】
無線パケットデータ通信ネットワークの再構成可能な端末を使用して、他モードの監視を可能にする時間ウインドウを生成する方法であって、端末からのパケットデータ通信の送信を省き、前記他モードの監視を可能にするように前記端末を再構成するための前記時間ウインドウを生成することを含む方法。
【請求項１８】
第１の動作モードから代わりの動作モードへ、および前記第１のモードへ戻る前記端末の再構成の後で、前記パケットデータ通信を再送することをさらに含む請求項１７記載の方法。
【請求項１９】
請求項１ないし１８の何れか１項記載の方法にしたがって動作するように構成された無線通信端末。
【請求項２０】
実行するときに、請求項１ないし１８の何れか１項記載の方法にしたがって動作するように端末を制御するプロセッサ制御符号。
【請求項２１】
請求項２０記載のプロセッサ制御符号を保持する担体。
【発明の詳細な説明】
【技術分野】
【０００１】
本発明は、通信システム、とくに、無線通信ネットワークにおける他モードの監視のための方法および装置に関する。
【背景技術】
【０００２】
図１ａは、一般的な無線ローカルエリアネットワーク（Local Area Network, LAN）10を示しており、Hiperlan/2システムに基づいて表わされている。ネットワークは、複数の移動端末（mobile terminal, MT）12を含み、各ＭＴ12は、ネットワークのアクセスポイント（access point, AC）14または基地局と無線通信する。アクセスポイント14は、中央制御装置（central controller, CC）16とも通信し、ＣＣ16は、他のネットワーク、例えば、固定イーサネット（登録商標）タイプのローカルエリアネットワークへのリンク18をもつ。場合によっては、例えば、Hiperlan/2のネットワークにおいてローカルアクセスポイントがないときは、移動端末12の1つは、アクセスポイント／中央制御装置の役割を果たし、無線リンク20によって図に示されているように、直接のＭＴ−ＭＴのリンクが可能になる。
【０００３】
本明細書では、IEEE 802.11およびHiperlan/2の無線ＬＡＮシステムをとくに参照しているが、本発明は、これらのシステムに制限されない。同様に、“移動端末”および“アクセスポイント”のような、Hiperlan/2の仕様に使用されている技術用語の中の幾つかが、便宜的に使用されているが、これは、Hiperlan/2システム、あるいはアクセスポイント（または、基地局）または移動端末の特定の形への制限を示唆していると解釈すべきではない。
【０００４】
Hiperlan/2は、セキュリティの特徴をもち、かつ５GHzの帯域で動作する５４Mbpsの無線ネットワークに対する欧州の標準規格である。IEEE 802.11、とくにIEEE 802.11aは、異なるネットワークアーキテクチャを定めた米国の標準規格であるが、同じく、５GHzの帯域を使用し、かつ５４Mbpsまでのデータレートを与える。高性能無線ローカルエリアネットワーク（High Performance Radio Local Area Network, Hiperlan）のタイプ２の標準規格は、データリンク制御（Data Link Control, DLC）層（基本データ転送機能および無線リンク制御（Radio Link Control, RLC）サブレイヤを含む）、パケットベース収束層（共通部分の定義およびイーサネット（登録商標）サービス別の収束サブレイヤを含む）、物理層定義およびネットワーク管理定義によって定められる。Hiperlan/2の別の詳細については、次の文献を参照すべきである。これらは、ここでは参考文献として取り上げられている。ETSI TS 101 761-1(V1.3.1):“Broadband Radio Access Networks (BRAN); HIPERLAN Type 2; Data Link Control (DLC) Layer; Part 1: Basic Data Transport Functions”; ETSI TS 101 761-2(V1.2.1): “Broadband Radio Access Networks (BRAN); HIPERLAN Type 2; Data Link Control (DLC) Layer; Part 2:Radio Link control (RLC) sublayer” ETSI TS 101 493-1 (V1.1.1): “Broadband Radio Access Networks (BRAN); HIPERLAN Type 2; Packet based Convergence Layer; Part 1: Common Part”; ETSI TS 101 493-2 (V1.2.1) “Broadband Radio Access Networks (BRAN); HIPERLAN Type 2; Packet based Convergence Layer; Part 2: Ethernet Service Specific Convergence Sublayer (SSCS)”; ETSI 101 475 (V1.2.2):“Broadband Radio Access Networks (BRAN); HIPERLAN Type 2; Physical (PHY) layer”; ETSI TS 101 762 (V1.1.1):“Broadband Radio Access Networks (BRAN); HIPERLAN Type 2; Network Management”。これらの文献は、ＥＴＳＩのウエブサイトのWWW.etsi.org.から得られる。
【０００５】
図１ｂは、Hiperlan/2のシステムの例示的な移動端末100およびアクセスポイント150を示しており、それぞれ、直交周波数分割多重化（Orthogonal Frequency Division Multiplexed, OFDM）送信機およびＯＦＤＭ受信機を採用している。実際には、移動端末およびアクセスポイントの両者は、双方向通信のための送信機および受信機の両者（またはトランシーバ）を含むが、簡潔化のために、これは図1ｂには示されていない。
【０００６】
端末100において、データソース102はベースバンドマッピング装置104へデータを供給し、ベースバンドマッピング装置104は、オプションで、順方向の誤り訂正符号化およびインターリービングを行ない、ＱＡＭシンボルのような被変調シンボルを出力する。被変調シンボルは、マルチプレクサ(multiplexer, MUX)108へ供給され、マルチプレクサ108は、被変調シンボルを、パイロットシンボル生成器106からのパイロットシンボルと合成し、基準振幅および位相を、受信機における周波数同期化およびコヒーレント検出（他の構成では、異なる検出を用いてもよい）のために与える。ブロックの組み合わせ110は、マルチプレクサ108からの直列データストリームを、複数の並列の減速されたデータレートのストリームへ変換し、これらのデータストリームに対してＩＦＦＴを行なって、ＯＦＤＭシンボルを供給し、その後で、このＯＦＤＭシンボルの多数のサブキャリアを単一の直列データストリームへ変換する。その後で、この直列の（ディジタル）データストリームは、ディジタル−対−アナログ変換器(digital-to-analogue converter, D/A)112によってアナログの時間領域の信号へ変換され、アップコンバータ114によってアップコンバートされ、フィルタリングおよび増幅（図示されていない）後に、アンテナ116から出力される。アンテナ116は、全方向性アンテナ、セクタ化されたアンテナ、またはアレーアンテナを含み、ビーム形成を行う。
【０００７】
送信機100のアンテナ116からの信号は、“チャネル”118を介して、受信機150のアンテナ152によって受信される。“チャネル”118は、一般に振幅および位相が異なる複数のマルチパス成分を含む。端末の移動性がマルチパスの影響を悪化させるので、端末およびアクセスポイントは誤り訂正手段を含んでいる。
【０００８】
受信機150のアンテナ152はダウンコンバータ154へ接続され、ダウンコンバータ154はアナログ−対−ディジタルコンバータ（analogue-to-digital-converter, A/D）156へ接続されている。その後で、ブロック158は、直列−対−並列（serial-to-parallel, S/P）の変換、ＦＦＴ、および並列−対−直列（parallel-to-serial, P/S）の再変換を行ない、出力をデマルチプレクサ（demultiplexer, De-MUX）160へ供給し、デマルチプレクサ160は、データシンボルからパイロットシンボル信号162を分離する。その後で、データシンボルは復調され、ベースバンドデマッピング装置164によってデマップされ、検出されたデータ出力166を供給する。概ね、受信機150は送信機100のミラーイメージである。送信機と受信機とを組合せると、ＯＦＤＭトランシーバが形成される。
【０００９】
受信機および送信機のフロント（front, ft）エンドは、一般に、ハードウエアにおいて実行され、受信機および送信機の処理部および誤り訂正は、“ソフトウエア”において実行されることが多く、例えば、適切な制御符号を用いて、ＡＳＩＣ、ＦＰＧＡ、および／またはディジタル信号プロセッサ（digital signal processor, DSP）チップを使用する。しかしながら、熟練した技能をもつ者は、送信機または受信機、あるいはこの両者の全ての機能が、ハードウエアにおいて実行できることが分かるであろう。ソフトウエアの無線において信号をディジタル化する正確な位置は、一般に、コスト／複雑さ／電力消費の折り合いと、適切な高速アナログ／ディジタルコンバータおよびプロセッサのアベイラビリティとに依存する。
【００１０】
図１ｃは、移動端末100の別の詳細を示している。無線インターフェイス101は、一般的なものを指し、端末プロセッサ180とデータおよび制御の通信をし、端末プロセッサ180は、とくに、図１ｂを参照して記載されたデータソース102として動作する。端末プロセッサ180は、ワーキングメモリ182、プログラムメモリ184、並びにユーザの制御およびデータの入出力のためのマン マシン インターフェイス（Man Machine Interface, MMI）186とも通信する。
【００１１】
図１ｄは、プログラムメモリ184をより詳しく示している。従来の様式では、これは、アプリケーション層符号186、トランスポート層符号188（例えば、インターネットプロトコル（Internet protocol, IP）または非同期転送モード（Asynchronous Transfer Mode, ATM）符号を含む）、およびデータリンク制御（Data Link Control, DLC）層符号190を含む。ＤＬＣ符号190は、論理リンク制御（Logical Link Control, LLC）符号192および媒体アクセス制御（Medium Access Control, MAC）または無線リンク制御（Radio Link Control, RLC）符号194を含む。熟練した技能をもつ者には、物理無線リンク層より上に位置する符号のこれらの種々の層の符号が分かるであろう。熟練した技能をもつ者には、図１ｄの図において、プログラムメモリ184内の符号の簡略化も分かるであろう。
【００１２】
データ送信は、移動電話ネットワーク内、とくに、いわゆる２．５Ｇおよび３Ｇ（第三世代）ネットワーク内でも益々重要になってきている。これらの２．５Ｇおよび３Ｇネットワークは、International Mobile Telecommunications IMT-2000の標準規格（www.ituint、ここでは、参考文献として取り上げている）に含まれる。第３世代の技術は、移動局と基地局との間の無線インターフェイスを横切る通信のための符号分割多元接続（Code Division Multiple Access, CDMA）を使用し、ＩＭＴ−２０００の標準規格において３つの主要な動作方式が策定された。すなわち、欧州および日本におけるＷ−ＣＤＭＡ（Wide band CDMA）の直接拡散の周波数分割二重通信方式（Frequency Division Duplex, FDD）、米国におけるＣＤＭＡ−２０００のマルチキャリアのＦＤＤ、中国における時分割二重通信方式のＣＤＭＡ（Time Division Duplex CDMA, TD-CDMA）および時分割同期方式のＣＤＭＡ（Time Division Synchronous CDMA, TD-SDMA）である。
【００１３】
３Ｇネットワークの無線アクセス部分は、ＵＴＲＡＮ(Universal Terrestrial Radio Access Network)として総称され、ＵＴＲＡＮのアクセスネットワークを含むネットワークは、ＵＭＴＳ（Universal Mobile Telecommunication System）ネットワークとして知られている。ＵＭＴＳシステムは、第三世代パートナーシッププロジェクト（Third Generation Partnership Project, 3GPP, 3GPP2）によって生成された標準規格の対象であり、その技術仕様はwww.3gpp.org.に示されている。これらの標準規格において、技術仕様２３．１０１には、一般的なＵＭＴＳのアーキテクチャが記載され、２５．１０１には、ユーザおよび無線送信および受信（ＦＤＤ）バージョン４．００および３．２．２が、それぞれ記載されている。なお、ここでは、これらを参考文献として取り上げている。
【００１４】
無線ＬＡＮまたはディジタル移動電話ネットワークのような、幾つかの通信ネットワークでは、いくつかの移動端末において、２つ以上の通信サービス（送信または受信）あるいはモードが得られる。同様に、幾つかの端末の位置において、異なるネットワークによって支援されるデータの送信または受信の通信サービスが得られる。例えば、２．５Ｇ／３Ｇの移動電話の信号および従来の２Ｇの信号の両者を受信できる移動通信端末を提供して、融通性および受信可能範囲を向上し、かつアップグレーディングを促進できるようにすることが望ましい。ＷＬＡＮでは、同様の要件または異なる動作モードを用意して、異なる帯域幅をサポートし、帯域幅に対する需要を低減するのに役立てている。
【００１５】
ここで使用されているように、モードは、プロトコル、標準規格、あるいは周波数を指すが、これらに制限されない。マルチモード動作は、ソフトウエア無線システムを使用して実行することができる。これは、複数の動作モード、標準規格、または局所的な遠隔通信サービスを支援するように、端末を再構成することを可能にする。しかしながら、このような再構成を行なうために、ソフトウエア無線システムは、局所的な遠隔通信サービスまたはモードを監視して、そのアベイラビリティ、および多くの場合に、信号強度、サービス品質、等のような他のパラメータを判断しなければならないことが分かるであろう。
【００１６】
移動端末が、２つ以上のローカルサービスまたはモードを監視できるようにするために、複数の同時に動作可能なトランシーバ連鎖を用いてもよい。しかしながら、これは、複雑で、コスト高である。多数のトランシーバ連鎖と関係付けられる問題は、再構成可能なソフトウエア無線システムを使用することによって克服することができる。このようなシステムは、現在の動作モードから、目的とする他モードへ再構成し、多数の測定を行ない、その後で、元のモードへ戻ることができる。このプロセスは、図２に概略的に示されている。
【００１７】
図２は、他モードの監視手続きにおける段階を表わすフローチャート200を示している。サイクルは、ステップ202において最初または現在のモードで始まり、ステップ204において、端末はこのモードから新しいモードへ再構成する。その後で、ステップ206において、端末は、新しいモードで、適切な周波数帯域へ同調し、かつ信号へ同期する。同期が完了すると、ステップ208において、信号レベルおよびサービス品質を測定し、その後で、ステップ210において、端末は、最初または現在のモードへ再び再構成し、ステップ212において、現在の周波数へ再び同調し、現在のモードへ再び同期する。その後で、サイクルは、ステップ202へループバックする。
【００１８】
現在のモードから他モードへ、その後で再び戻るこの瞬間的なスイッチングは、端末によって支援される現在のモードのサービスまたはアプリケーションを中断することなく、とくにデータを損失することなく達成されるのが理想的である。１つの可能な解決方法では、ＧＳＭ、ＵＭＴＳ、およびHiperlan 2の通信構造における固有のギャップに依存する。これに関する問題は、これらのシステムの幾つかの動作モードにおいて、このようなギャップが存在しないか、またはギャップが短か過ぎて、サービスを中断せずに、他モードの監視ができないことである。この問題は、音声および画像のストリーミングのような、高速で、短い待ち時間のデータ転送においては、とくに深刻である。
【００１９】
図３は、プリアンブル系列を含むパケットデータ通信システムの媒体アクセス制御（Media Access Control, MAC）フレーム300の例を示している。ＭＡＣフレームは、同報通信チャネル（broadcast channel, BCH）バースト302、その後のフレームチャネル（frame channel, FCH）バーストおよびアクセスフィードバックチャネル（access feedback channel, ACH）バースト（図示されていない）、ダウンリンク（down-link, DL）バースト308、アップリンク（uplink, UL）バースト310、（オプションの）直接リンク（direct link, DiL）バースト312、およびランダムアクセス（random access, RCH）バースト314を含む。ＭＡＣフレームは、２ミリ秒を有するので、他モードも２ミリ秒の間監視されるのが好ましいことが分かるであろう。実際には、図２の再構成および戻りステップ204、206、210、および212は合わせて、１ミリ秒以上必要である。
【００２０】
他モードの監視の関連において、HIPERLAN2システムの‘アイドル’モードではなく、‘アクティブ’モードの動作中に、１つの重要な問題が発生する。このモードでは、そのフレーム内のほぼ全ての時間が、データ転送で占められ、したがって他モードの監視に使用できる唯一の期間は、ランダムアクセス期間であり、６０μｓという短さである。これは、代わりの動作モードの適切な推定には短過ぎる。
【発明の開示】
【発明が解決しようとする課題】
【００２１】
端末は、多くの理由のために、別のモードへ再構成することを望む。１つの理由は、現在の通信／データトランザクションの間に、より高いデータレートまたはサービス品質（Quality of Service, QoS）、すなわち現在のモードでは支援できないか、またはこのモードでは無効であるものが要求されるからである。１つの例には、音声から画像のストリーミングへのアップグレーディングがある。別の理由は、現在のリンクのＱｏＳが、劣化し続けるので、要求されたアプリケーションまたはサービスの支援を現在のモードにおいて維持できないからである。したがって、現在のモード内でのハンドオーバは、不適切または無効であり、より良い代わりの通信リンクを求めなければならない。これらの理由の何れかは、代わりの動作モードを識別する適切な期間を見付ける問題を複雑にする可能性が高い。
【課題を解決するための手段】
【００２２】
本発明にしたがって、通信システムにおいて他モードの監視する方法であって、ネットワーク通信アクセスポイントと、前記アクセスポイントに接続された端末とは、前記端末と前記アクセスポイントとの間でデータ通信をし、前記データ通信の一方のモードは、一部分のデータを通信することを含み、前記アクセスポイントおよび前記端末の一方から、前記アクセスポイントおよび前記端末の他方への一部分のデータの送信が、応答において送られる肯定応答信号によって肯定応答され、前記端末を使用して、前記肯定応答信号を抑圧することと、前記肯定応答信号が送られた場合の時間期間の間に、前記データ通信の他モードを監視するように、前記端末を再構成することとを含む方法を提供する。
【００２３】
通信システムは、ディジタル移動電話ネットワーク、無線ＬＡＮ、または他の移動電話無線ネットワークのようなパケットデータ通信システムを含むことが好ましい。アクセスポイントは、無線ＬＡＮまたは広域ネットワーク（Wide Area Network, WAN）のアクセスポイントまたは基地局、２．５Ｇまたは３Ｇの移動電話ネットワークのノードＢ、例えばHiperlan 2のネットワークにおける別の移動端末、あるいは幾つかの他の移動無線基地局を含む。端末は、ディジタル移動電話、パーソナルディジタルアシスタント（Personal Digital Assistant, PDA）、あるいは無線通信を用いる従来のコンピュータのような、移動無線通信端末を含む。
【００２４】
この方法および別途記載する関係する方法を用いて、１つのネットワークの２つ以上の動作モードを監視するために用いられるか、あるいは、より高い可能性として、ＧＳＭまたはＵＭＴＳネットワークとIEEE 802.11またはHiperlink/2ネットワークとのような、２つの異なるネットワークを監視することができる端末または移動電話を提供する。
【００２５】
肯定応答信号を抑圧することによって、損失または破損したデータパケットの影響がシミュレートされ、通信システムは、従来の誤り処理／訂正手続きを実行する。これらは、例えば、所定の時間間隔、一般に、データの正しい受信の確認を考慮したウインドウ内で、肯定応答信号が受信されないときは、失われたパケットを無視するか、または失われたデータの再送を自動的に要求することを含む。したがって、通信システム内に既存のプロトコルおよび動作手続きを取入れて、他モードの監視を行う時間ウインドウを生成するといった長所を利用することができる。これは、ソフトウエア無線機に“ビジー”の動作モードをもたせ、再構成のため他の動作モードを監視する時間を迅速に割り当てることができるようにすることから無線機を妨げるかもしれない。IEEE 802.11のような、ＷＬＡＮシステムへは、例えば、ユニキャストデータ転送において肯定の“ＡＣＫ”（肯定応答）要求が指定され、このような肯定応答信号が受信されないときは、肯定応答が最終的に受信されるまで、送信が反復されるといった技術が適用される。しかしながら、本発明の応用は、このようなシステムに制限されないことが分かるであろう。
【００２６】
本発明の実施形態は、強制されたパケット損失を使用することによって、再構成可能な無線システムにおいて代わりの動作モードを監視する時間割当てを可能にする。実施形態は、自動反復要求（automatic repeat request, ARQ）のような、損失または破損した受信データを回復するのに一般に使用されている再送方法を使用する無線データ転送標準規格に応用することができる。したがって、Hiperlink/2またはIEEE 802.11、あるいはこの両者内でＡＲＱ機構が採用される。個々のトランシーバ連鎖に対する要件はないが、トランシーバ連鎖は、マルチモード動作を行うために再構成できることが必要である。さらに加えて、この方法は、現在のデータ転送モードの標準の動作をほとんど中断せず、ネットワークの動作に対して比較的にトランスペアレントであるように、実行される。
【００２７】
別の態様では、本発明は、再構成可能な無線パケットデータ通信端末を動作する方法であって、前記端末の第１の動作モードを使用して、データ送信機から少なくとも１つのデータパケットを受信することと、前記端末を第２の動作モードへ再構成することと、前記第２の動作モードにおいて前記端末を動作することと、前記端末を前記第１の動作モードへ再び再構成することと、前記少なくとも１つのデータパケットに対する肯定応答信号を前記データ送信機へ送信することとを含む方法を提供する。
【００２８】
この方法は、上述と同様の長所を与える。第２の動作モードへの再構成は、少なくとも１つのデータパケットを受信することによってトリガーまたは開始される。ここでも、第１の動作モードへ再び再構成するまで、肯定応答信号は抑圧され、したがって送られないか、または否定応答（not aknowledge, NAK）が送られる。この方法は、１再送間隔より長い遅延を与え、１つのデータパケットまたはデータパケットのグループと共に用いられる。後者のときは、１つの肯定応答信号を使用して、多数のデータパケットの受信に肯定応答する。
【００２９】
好ましい実施形態では、第１の動作モードで受信される少なくとも１つのデータパケットは、妥当性について検査されるか、または将来使用するために記憶されるか、あるいはこの両者である。これは、データの損失を防ぐのに役立つ。しかしながら、第１の動作モードのサービス品質が低いときは、単に、少なくとも１つのデータパケットを無視して、他モードの監視により長いの時間を与えることが好ましい。
【００３０】
この方法の実施形態では、タイマーを用いて、データ送信機からの少なくとも１つのデータパケットの再送、例えば、第１の再送を肯定応答する時間内で、肯定応答信号を送信することを保証する。
別の態様では、本発明は、再構成可能な無線パケットデータ通信端末を動作する方法であって、第１のモードで前記端末を動作することと、前記端末を第２の動作モードへ再構成することと、前記第２の動作モードにおいて、前記端末を動作することと、前記端末を前記第１の動作モードへ再び再構成することと、前記第２のモードにおける前記動作が、実質的に、前記端末によるパケットデータ通信の受信の正当な肯定応答のために見込まれた時間の２倍から、前記第１のモードから第２のモードへ、および戻る前記端末の前記再構成にかかる時間を減算した時間以下に制限されることとを含む方法を提供する。
【００３１】
別の態様では、本発明は、無線パケットデータ通信ネットワークの再構成可能な端末を使用して、他モードの監視を可能にする時間ウインドウを生成する方法であって、パケットデータ通信のための肯定応答信号を送信機から送信することを省き、パケットデータ通信の再送を要求し、前記他モードを監視できるように前記端末を再構成するための前記時間ウインドウを生成することを含む方法を提供する。
【００３２】
関連する態様では、本発明は、再構成可能な無線パケットデータ通信端末を動作する方法であって、端末の第１の動作モードを使用して、少なくとも１つの第１のデータパケットを端末からデータ受信機へ送ることと、前記端末を第２の動作モードへ再構成することと、第２の動作モードにおいて前記端末を動作することと、前記端末を前記第１の動作モードへ再構成することと、前記第１の動作モードを使用して、少なくとも１つの第２のデータパケットを端末からデータ受信機へ送ることと、前記動作のタイミングを合わせて、前記少なくとも１つの第１のパケットおよび前記少なくとも１つの第２のパケットを、前記少なくとも１つの第１のデータパケットの正当な受信の肯定応答のために見込まれた時間を実質的に越えない時間間隔で、送ることとを含む方法も提供する。
【００３３】
実施形態において、タイミングとは、少なくとも１つの第１のデータパケットの再送、好ましくは、第１の再送について、アクセスポイント（または端末）によって予測される間隔にほぼ対応する間隔で、少なくとも１つの第２のパケットが送られるようにすることである。
【００３４】
別の関係する態様では、本発明は、無線パケットデータ通信ネットワークの再構成可能な端末を使用して、他モードを監視できるようにするための時間ウインドウを生成する方法であって、端末からのパケットデータ通信の送信を省いて、前記他モードを監視できるように前記端末を再構成するための前記時間ウインドウを生成することを含む方法を提供する。
【００３５】
本発明は、上述の方法にしたがって動作する端末も提供する。
本発明は、上述の方法および端末機能を実行するための、プロセッサ制御符号および符号を保持する担体媒体も提供する。この符号は、従来のプログラム符号、マイクロ符号、あるいはＡＳＩＣまたはＦＧＰＡを設定または制御するための符号を含む。担体は、ハードディスクまたはフロッピー（登録商標）ディスクのような記憶媒体、読み出し専用メモリ（ファームウエア）のようなＣＤ−ＲＯＭまたはＤＶＤ−ＲＯＭまたはプログラムメモリ、あるいは光または電気信号担体のようなデータ担体を含む。当業者には、符号が、相互に通信している複数の接続された素子間で分配されることが分かるであろう。
【００３６】
ここで、本発明のこれらの態様および他の態様を、添付の図面を参照して例示的に記載することにする。
【発明を実施するための最良の形態】
【００３７】
大要、現在は専用のデータ転送モードで動作しているが、マルチモードで動作することができる端末において、他モードの監視を支援する方法について記載する。簡潔化のために、ＷＬＡＮのアクセスポイント（Access Point, AP）または指定された中央制御装置（Central Controller, CC）が他モードの監視に支援を与えることができないと仮定すると、実質的に標準の動作を想定して、移動端末（mobile terminal, MT）とデータパケットを交換しなければならないと考えられるにちがいない。したがって、ＡＰは、ＭＴが、代わりの動作モードへ再構成するためのデータのトランザクション間で、時間割当てを行わないと仮定される。
【００３８】
方法にしたがうと、ＭＴは、例えば、リアルタイム性の画像ストリーミングの間のように、“ビジー”の時分割デュープレックス（Time Division Duplex, TDD）のＷＬＡＮとして、直後に“アイドル”期間をもたずに動作する間に、代わりの動作モードをサーチする必要を識別する。“アイドル”期間があるときは、その間にサーチを行う。代わりの動作モードのサーチは、これが、ネットワークの他の部分に対して比較的にトランスペアレントであるように行われることが好ましい。
【００３９】
動作は、いくつかのやり方でインスタンス化される。受信モードまたは図３のダウンリンク期間308では、ＭＴは、強制された、または認識されたデータ損失によって、測定期間を使用可能にすることができる。これは、チャネル上でデータの損失または破損が起こったかのように、正当なデータバースト、すなわち（例えば）パケットを受信することに失敗したと考えられる。完全な状態で受信された実際のデータパケットは、正当であり、後で使用するために記憶することができる。
【００４０】
方法のこの実施形態では、ＷＬＡＮシステムにおいて誤り訂正またはハンドリングプロトコル動作を使用し、プロトコルによって定められた適切な時間間隔で、失われたデータバーストを再送する。例えば、ＡＰにおいて肯定応答（acknowledgement, ACK）を受信するのに失敗した後で、ＡＰは、所定の期間の後で、“失われた”データを再送する。ＭＴは再送を受信する必要がないので、この時間期間またはウインドウを使用して、代わりの動作モードへ再構成して適切な測定を行うことができる。端末は、システム自動反復要求（automatic repeat request, ARQ）タイマーによって特定される時間期間内において、その現在のモードへ再び再構成することが好ましい。
【００４１】
その代りに、パケットを無視しても、実際には、捨ててもよい。ＭＴは、パケットの送信時間の間は、以前のように、ＡＰへ適切な‘否定応答’（not acknowledge, NAK）か、または無応答で再構成してもよい。
これらの方法を同様に適用して、必要であれば、多数のパケットまたはセルの損失をシミュレートすることができる。しかしながら、システムの性能の全体的な動作に、このような技術の関係するトランスペアレントを否定するような悪影響を与えないように、この方法を適用することが好ましい。
【００４２】
同様に、図３のアップリンク期間310において、すなわちＭＴが送信モードのときに、端末からデータパケットを送らずに、ここでも、他モードを再構成および監視するのに、この時間を使用することによって、この方法を実行することができる。
図３の直接リンク期間312、すなわち、アドホックネットワークモードのときは、前の２つの期間の一方として、ほぼ見なすことができるが、ＭＴの一方は、ＡＰが存在しないならば、ＣＣとして動作する。
【００４３】
ここで、図４を参照すると、これは、Hiperlan 2のネットワークのような無線ネットワークのダウンリンク期間において再構成および他モードを監視するウインドウを得るための方法400におけるステップを示している。図４では、時間軸402は垂直方向に延びており、下へ向かって進む。最初に、より高い層188およびアプリケーション層186の符号を移動端末100上で実行し、端末100とアクセスポイント150との間に標準のデータ交換サービス404を与える。示されている例において、これらは、高データレート交換サービスであり、データは、端末内で、矢印406によって示されているように、図１ｄのプログラムメモリ184内のプログラム符号層間で交換される。したがって、これらのより高い層およびアプリケーション層は、通常は、ボックス408によって示されているように動作する。
【００４４】
例外もあるが、通常記載される方法は、新しいサービスを要求するか、または現在のサービス品質が劣化することに応答して、データリンク層190において動作する。しかしながら、さらに加えて、またはその代りに、この方法は、ユーザのモードのスイッチングを可能にするバックグランドタスクとして実行することもある。したがって、ステップ410において、移動端末は、新しい動作モードの必要を識別する。
【００４５】
ユーザデータトランスポート機能は、ユーザデータパケットを用いて、より高い層から、ユーザサービスアクセスポイント（User Service Access Point, U-SAP）を介して供給される。これは、誤り訂正（Error Correction, EC）を含み、ＥＣは、この実施形態では、自動反復要求（Automatic Repeat Request, ARQ）方式に基づく。追加の順方向誤り訂正とＥＣとは相補的であるが、協働する必要はない。
【００４６】
図４は、概ね、例えば、ＭＴへのダウンリンクにおいてパケットを損失した場合の、認識されたデータ損失処理を示している。この簡単な例では、送信ウインドウは、１の大きさに設定され、すなわち、各パケットは、次を送る前に肯定応答され、したがって、その損失の識別後に、肯定応答されていないパケットが直ちに再送されると仮定する。例示ために、システムは、１パケットの損失のみを許容すると仮定するが、他の実施形態では、さらに加えて、連続の、または多数のパケットの（シミュレートされた）損失を用いてもよい。
【００４７】
ネットワークのより高い層および他の部分によってシステムの標準動作を観察すると、他モードを監視するウインドウ（Alternative Mode Monitoring Window, ALT Monitor Rx Win）と呼ばれる時間期間を超えない（式１）。示されている例では、この時間期間は、ＡＲＱを介してＥＣの前にパケットの受信に肯定応答するのに見込まれる最大時間（ACK Timer Max）の２倍から、データを正確に受信するのにかかる時間（Pkt Rec Time）と、問題の他モードへ再構成するのにかかる時間(Time Alt Rx)と、現在のモードへ戻るのにかかる時間(Time Cur Rx)とを減算したものを越えない。
Alt Monitor Rx Win<=2＊ACK Timer Max-(Pkt Rec Time+Time Alt Rx+Time Cur Rx)  式１
幾つかの実施形態では、パケットの受信は全て無視され、データの回復はＡＲＱへ残される。このような実施形態では、（ここでも、パケットの損失を１つと仮定して）、この動作に割り当てられる時間は、式２によって与えられる。しかしながら、これらの方法は、他モードの監視に割り当てられる時間を最大化するが、ＡＲＱによるデータの受信の成功は危うくなる。
【００４８】
劣悪なリンク品質のために、再構成が要求される場合について検討する。（受信し、オプションで検査／確認し、オプションでパケットを記憶し、再構成する）第１の方法は、データを正しく受信したことを保証した後で、他方のモードを監視する。しかしながら、これは、監視プロセスを遅らせ、リンク品質が限界になる前に、他方のモードへ移る。（パケットを無視する）第２の方法は、リンクが劣化し過ぎる前に、新しい動作モードを見付ける可能性がより高い。これらのオプション間の選択は、端末の製造者によって行われるか、またはソフトウエアの設定であるか、あるいは現在／他モードか、または他の局所的な動作状態に基づいて、オプションを選択する。
Alt Monitor Rx Win<=2＊ACK Timer Max-(Time Alt Rx+Time Cur Rx)  式２
モードの監視が遅れ過ぎると、ＷＬＡＮシステムでは、とくに、ＴＣＰ送信制御プロトコルにおいて、より高い層の動作に悪影響を与える。しかしながら、パケットの遅延は広い範囲において変化するので、数十ミリ秒のオーダの遅延では、問題を生じないこと多い。
【００４９】
最初の動作モードへ再び戻ると、実行される測定に基づいて、端末は、‘永続的に’再構成するか、または他モードへハンドオーバするかを決定する。
図４をより詳しく参照すると、ステップ412において、ＡＰ150は、パケットを移動端末100へ送り414、端末からの戻りの受信の肯定応答を受信する期間を定めるタイマーが始まる。ステップ416において、移動端末100は、誤りのないパケットを受信し、例えば、ワーキングメモリ182においてそのパケットを記憶する。その後で、ステップ418において、移動端末は、他モードの監視（alternative mode monitoring, AMM）のタイマーを始動し、ステップ420において、他モードの監視へ移動端末100を再構成する。
【００５０】
その間に、ステップ422において、アクセスポイントの肯定応答のタイマーが切れ、ステップ424において、ＡＰ150はパケットを再送し426、かつ肯定応答のタイマーを再び始動する。しかしながら、ブロック428によって示されているように、移動端末100は、他モードで動作するように構成されているので、再送されたパケットを受信しない。他モード監視420は、パケット再送期間426の間に行われる。ブロック430によって示されているように、期間414の間にＡＰ150によって移動端末へ送信されたパケットを損失または破損したと見なされる。
ステップ432において、移動端末100は、ＡＭＭタイマーが切れるか、またはタイムアウトになる前に、再び最初のモードへ再構成し、したがって、ステップ434において、移動端末はその最初のモードへ戻る。最初のモードへ戻った移動端末100は、ステップ434において再送パケットに対する肯定応答タイマーを始動し、これが切れる前に、肯定応答信号をＡＰ150へ送信し436、ステップ438において、アクセスポイントはそれを受信する。その間に、移動端末は、ステップ416において記憶されたパケットを検索し、これをシステム内のより高い層へ送り440、パケットは処理される442。移動端末がその最初のモードへ戻った後で、他モードへの再構成を開始するかどうかについての決定も行われる444。
【００５１】
図４を詳しく調べると、最初のパケット送信414と、パケット再送426に対する肯定応答タイマーの時間切れ（ステップ438）との間の時間間隔は、２つのＡＰの肯定応答の時間間隔446と448とによって定められることが分かるであろう。これらは、移動端末の肯定応答信号の送信436がＡＰに到達する時間期間を定める。代わって、これは、他モードの監視の時間ウインドウ450を定める。その理由は、図４の実施形態では、この時間ウインドウの継続期間450と、（ステップ416の）パケット受信時間452と、（ステップ418の）他モード再構成（受信）時間454と、（ステップ432の）最初のモードの再構成（受信）時間456とは、２つの肯定応答の時間446と448との和よりも短くなければならないからである。
【００５２】
図５は、ネットワーク通信のアップリンク期間の間において、端末を再構成し、代わりの動作モードを監視するためのウインドウを与える方法の実施形態500を示している。したがって、図５において、データ送信方向は、移動端末100からアクセスポイント150へである。Hiperlan/2の場合に、図３に示されているＭＡＣフレームのアップリンク期間310の間に、方法のこの実施形態を用いてもよい。
【００５３】
大要、図５では、送信系列内の第２のパケットは送られず、第１および第３のパケットは、それらの間に、予測の肯定応答ウインドウ（ACT Timer Max）以下のギャップを置いて送られる。このウインドウは、‘実’のデータの送信時間（Pkt Tx Time）よりも長い。図４に関連する上述の大要と同じ仮定を用いて、第３のパケットは、ＡＲＱのもとで、ウインドウの大きさを１として、第２のパケットからのデータの再送を含むことが好ましい。図５の方法における他モードの監視に使用可能な時間は、式３によって与えられ、これは、見て分かるように、図４のダウンリンクの場合よりも短い。
Alt Monitor Tx Win<=ACK Timer Max-(Time Alt Tx+Time Cur Tx)  式３
再び、最初または“現在”の動作モードに戻ると、ＭＴ100は、監視モードへ再構成することを決める。
【００５４】
図５では、図４と同様に、時間軸502は、下方向に進む。最初に、ＭＴ100とＡＰ150との間で、標準または現在のモードのデータ交換を行い504、ＭＴ100は正常に動作する506。したがって、図示されているように、端末内のプログラム層間で高データレート交換508が行われ、オプションで、１つ以上の新しいサービスまたはモードを要求する。とくに、図５の実施形態では、データはＭＴ100内で層を下方向へ送られ510、第１のパケットはＭＴ100からＡＰ150へ送られ512、これは誤り無く受信される514。
【００５５】
ステップ516では、ＭＴ100は、新しい動作モードに対する要求、すなわち潜在的な要求を識別する。ステップ514における第１のパケットの受信の後で、ＡＰ150は、移動端末へ肯定応答を送り518、これは、ステップ520において受信され、第１の送信パケットの正しい受信が確認される。その後で、ステップ522において、移動端末は、第２のパケット（パケット２）のデータ期間におけるＡＰ150への送信を中断する。その後で、移動端末が、ＡＰ150がパケット１を正確に受信したことを知ると、移動端末は、他モードへ再構成し、このモードの監視を開始する524。
【００５６】
端末100が最初のモードへ再び再構成する526期間の後で、ステップ528において、第２のデータパケットをＡＰ150へ再び送る。この第２のパケットは、第３のパケット間隔の間にＡＰへ送信される530。ＡＰは、第２のパケット間隔の間に、第２のパケットを正しく受信するのに失敗した532。実際には、パケットを損失または破損したために、このように仮定している。ステップ534では、ＡＰは、第３のパケット間隔中に第２のパケットを正しく受信し、ＡＰの自動反復要求（ＡＲＱ）のプロトコルにしたがって、移動端末100へ肯定応答で応答する536。ステップ538において、ＭＴ100はこの肯定応答信号を受信し、したがって、移動端末のより高い層は、‘損失した’パケットに気付かず540、正常の動作が続けられる542。その最初のモードへ再び再構成した後で、ＭＴ100は、他モードへの再構成を開始するかどうかについての決定も行う544。
【００５７】
他モードの監視にかかる時間は、他モードの監視ウインドウ546と、他モードの再構成（送信）時間548と、他モードの再構成（送信）時間550との和である。図５を詳しく調べることによって分かるように、この他モードの監視は、肯定応答時間間隔552内で計算されることが好ましい。時間間隔552のエンドポイントは、移動端末100が、パケット１の送信512の後のパケットの受信の肯定応答をＡＰ150から受信することを通常予測する時間によって定められる。時間間隔552の開始点は、図５に示されているように、パケット送信期間554の開始によって定められるか、またはパケット送信期間554の終了、すなわち、ＭＴ100が、ＡＰ150が第２のパケットを受信したと予測するとき（この後者の代わりは、図５に示されていない）によって定められる。図５に示されている他のパケット送信時間556、558は、これらに関係して、ＡＰからの肯定応答が、ＭＴにおいて正常に受信されるときを示す。
【００５８】
図６を参照すると、これは、既に記載した方法にしたがって動作するように構成された移動端末のためのプログラムメモリ600を示す。図１ｄを参照して既に記載したように、プログラムメモリ600は、アプリケーション層符号186、トランスポート層符号188、およびデータ層符号190を含む。プログラムメモリ600は、他モードの監視の再構成符号602も含み、他モードの監視の再構成符号602は、図４を参照して記載した、受信中のＡＭＭ再構成の符号604と、図５を参照して記載した、送信中のＡＭＭ再構成の符号606を含む。プログラムメモリ600は、既に記載したように、図４または図５、あるいはこの両者のシミュレートのパケット損失手続きを実行するためのＡＭＭウインドウ生成符号608も含む。ＡＭＭ再構成符号602およびＡＭＭウインドウ生成符号608は、ＤＬＬ層190において実行されることが好ましいが、熟練した技能をもつ者には分かるように、これは、他の層において、または層間で、または２つ以上の層にまたがって実行される。ＡＭＭ符号602、608、およびプログラムメモリ600内の他の符号は、ディスク610または不揮発性メモリのような取り外し可能な記憶媒体上に与えられる。
【００５９】
上述の方法は、現在の標準規格のもとであっても、ネットワークの動作をほとんど中断することなく、ビジーの無線データ転送システムの再構成可能な動作を可能にする。したがって、この方法は、従来の装置との適合試験および相互動作と必ずしも対立する訳ではない。単一のリンクを横切る全体的な性能は下がるが、それでも、高いまたは長いデータ転送の間に、別の動作モードを試験することができる。したがって、劣悪なチャネル条件のもとで動作する無線システムにおいて、上述の方法は、リンクが損われる前に、かつ現在の動作モードとその全体にわたって維持されるサービスとをできるだけ中断せずに、代わりの動作モードを要求する唯一の解決案を与える。
【００６０】
Hiperlan/2を参照して記載した上述の技術は、他のＷＬＡＮの応用、例えば、IEEE 802.11に基づくシステムにも適している。したがって、IEEE 802.11におけるユニキャストデータ転送の肯定の‘ＡＣＫ’を、それが最終的に受信されるまで、繰返し送信することによって、応答しない端末に対処する。したがって、他モードへ再構成する一方で、ＡＰから失われたブロードキャストパケットを試行および回避するのとは異なり、監視動作の長さに、厳しい時間的制約を加えられない。
【００６１】
上述の記述は、次に示す用語集を参照することによって、よりよく分かる。用語集は、単に補助的に含まれており、本明細書に使用されている用語の解釈を制限すると解釈すべきではない。
【００６２】
【表１】
2005523604.tif 000003
当業者には、多くの他の効果的な代わりが思い付くにちがいない。例えば、方法の実施形態は、１つの代わりの動作モードを参照して記載されているが、当業者には、種々の方法を使用して、複数の他モードを、例えば、連続して、監視できることが分かるであろう。本発明は、無線ローカルエリアネットワークまたはディジタル移動電話ネットワークへの応用に制限されず、専用移動無線ネットワーク、例えば、ＴＥＴＲＡ、無線局所ループ（Radio Local Loop, RLL）ネットワーク、および光ネットワークのような他の無線データネットワークにおいても用いられる。
【００６３】
本発明は上述の実施形態に制限されず、本発明の特許請求項の意図および技術的範囲に関係する、当業者には明らかな変更を含むことが分かるであろう。
【図面の簡単な説明】
【００６４】
【図１ａ】無線ローカルエリアネットワークを示す図。
【図１ｂ】移動端末およびアクセスポイントを示す図。
【図１ｃ】移動端末のブロック図を示す図。
【図１ｄ】移動端末のプログラムメモリを示す図。
【図２】他モードの監視手続きのフローチャートを示す図。
【図３】Hiperlan/2のネットワークの媒体アクセス制御フレームを示す図。
【図４】パケットデータネットワークのダウンリンク期間における他モードの監視を行うための手続きを示す図。
【図５】パケットデータネットワークのアップリンク期間における他モードの監視を行うための手続きを示す図。
【図６】本発明の実施形態にしたがう端末のプログラムメモリを示す図。
【符号の説明】
【００６５】
10・・・無線ローカルエリアネットワーク（LAN）、12・・・移動端末（ＣＣ）、14・・・アクセスポイント（ＡＣ）、16・・・中央制御装置（ＣＣ）、18,20・・・リンク、100・・・送信機（移動端末）、150・・・受信機（アクセスポイント）。
【図１ａ】
2005523604.tif 000004
【図１ｂ】
2005523604.tif 000005
【図１ｃ】
2005523604.tif 000006
【図１ｄ】
2005523604.tif 000007
【図２】
2005523604.tif 000008
【図３】
2005523604.tif 000009
【図４】
2005523604.tif 000010
【図５】
2005523604.tif 000011
【図６】
2005523604.tif 000012
【国際調査報告】
2005523604.tif 000013
2005523604.tif 000014